(57)【要約】【課題】貯留槽から内容物を切出す際に、低切出し量でも貯留槽内での棚吊り現象を発生させることなく、切出し量の細かな制御が可能な貯留槽内容物の切出し装置および切出し方法を提供する。【解決手段】貯留槽から内容物を切出すための切出し装置であって、貯留槽の切出し口の下方に位置する振動フィーダと、該振動フィーダの上面に落下する内容物の量を調整する切出しゲートと、該切出しゲートの開度を変更できる切出しゲート駆動手段と、振動フィーダの上面を流れる内容物の量を調整する切出し量調整ゲートと、該切出し量調整ゲートの開度を無段階に変更できる切出し量調整ゲート駆動手段とを備えていることを特徴とする貯留槽内容物の切出し装置。【選択図】図１
2019018931.tif 000002
【特許請求の範囲】
【請求項１】
貯留槽から内容物を切出すための切出し装置であって、貯留槽の切出し口の下方に位置する振動フィーダと、該振動フィーダの上面に落下する内容物の量を調整する切出しゲートと、該切出しゲートの開度を変更できる切出しゲート駆動手段と、振動フィーダの上面を流れる内容物の量を調整する切出し量調整ゲートと、該切出し量調整ゲートの開度を無段階に変更できる切出し量調整ゲート駆動手段とを備えていることを特徴とする貯留槽内容物の切出し装置。
【請求項２】
前記切出し口の下端と前記振動フィーダの上面との間隙は、内容物の粒径の１０〜５０倍であることを特徴とする請求項１に記載の貯留槽内容物の切出し装置。
【請求項３】
請求項１または２に記載の貯留槽内容物の切出し装置を用いた貯留槽内容物の切出し方法であって、前記切出しゲート駆動手段を用いて前記切出しゲートの開度を内容物の棚吊り現象が発生しない開度に調整するとともに、前記切出し量調整ゲート駆動手段を用いて前記切出し量調整ゲートの開度を調整して内容物の切出し量を制御することを特徴とする貯留槽内容物の切出し方法。
【発明の詳細な説明】
【技術分野】
【０００１】
本発明は、貯留槽から内容物を切出すための切出し装置および切出し方法に関するものである。
【背景技術】
【０００２】
製造業では、ホッパー・サイロといった貯留槽に内容物を貯留し、必要時に必要量だけ内容物を切出して使用することが多い。製鉄業においては、鉄鉱石、石炭、コークス、焼結鉱、ペレット等の貯留と切出しに適用されている。
【０００３】
貯留槽から内容物を切出すには、通常、振動フィーダ―が使用され、切出し口に設けられた切出しゲートの開度や振動フィーダ―の振動数の調整により、切出し量の制御が行われている。
【０００４】
製鉄業においても、高炉をはじめとする操業の条件によって、内容物の切出し量は一定ではなく変動するため、切出し口において切出し量の調整が行われている。
【０００５】
従来は、高炉等での生産が減少した際に、切出し量を減少させるために、切出しゲートの開度を小さくし、振動フィーダ―の振動数を調整することで、低切出し量の制御を行っていた。
【０００６】
しかし、切出し量が小さくなると、貯留槽の内部で内容物の棚吊り現象が発生し、操業に支障をきたすことがあった。
【０００７】
これに対して、特許文献１では、切出しゲートの下流側のゲートから内容物の平均粒径の５〜２０倍の位置に、内容物の進行方向と直角方向に障害物を設置して、内容物の移動を阻害することで、低切出し量での切出しを可能とする方法が提案されている。
【先行技術文献】
【特許文献】
【０００８】
【特許文献１】特開２０１３−２４５３７９号公報
【発明の概要】
【発明が解決しようとする課題】
【０００９】
しかしながら、上記の特許文献１で提案されている方法では、設置する障害物の数の増減によって切出し量の調整を行っているため、切出し量の細かな制御まではできないという問題があった。
【００１０】
本発明では、上記のような事情に鑑みてなされたものであり、貯留槽から内容物を切出す際に、低切出し量でも貯留槽内での棚吊り現象を発生させることなく、切出し量の細かな制御が可能な貯留槽内容物の切出し装置および切出し方法を提供することを目的とするものである。
【課題を解決するための手段】
【００１１】
上記課題を解決するために、本発明は以下の特徴を有している。
【００１２】
［１］貯留槽から内容物を切出すための切出し装置であって、貯留槽の切出し口の下方に位置する振動フィーダと、該振動フィーダの上面に落下する内容物の量を調整する切出しゲートと、該切出しゲートの開度を変更できる切出しゲート駆動手段と、振動フィーダの上面を流れる内容物の量を調整する切出し量調整ゲートと、該切出し量調整ゲートの開度を無段階に変更できる切出し量調整ゲート駆動手段とを備えていることを特徴とする貯留槽内容物の切出し装置。
【００１３】
［２］前記切出し口の下端と前記振動フィーダの上面との間隙は、内容物の粒径の１０〜５０倍であることを特徴とする前記［１］に記載の貯留槽内容物の切出し装置。
【００１４】
［３］前記［１］または［２］に記載の貯留槽内容物の切出し装置を用いた貯留槽内容物の切出し方法であって、前記切出しゲート駆動手段を用いて前記切出しゲートの開度を内容物の棚吊り現象が発生しない開度に調整するとともに、前記切出し量調整ゲート駆動手段を用いて前記切出し量調整ゲートの開度を調整して内容物の切出し量を制御することを特徴とする貯留槽内容物の切出し方法。
【発明の効果】
【００１５】
本発明においては、貯留槽から内容物を切出す際に、低切出し量でも貯留槽内での棚吊り現象を発生させることなく、切出し量の細かな制御が可能である。
【図面の簡単な説明】
【００１６】
【図１】本発明の一実施形態を示す図である。
【発明を実施するための形態】
【００１７】
本発明の一実施形態を図面に基づいて説明する。
【００１８】
図１は、本発明の一実施形態における貯留槽内容物の切出し装置１０を示す図である。
【００１９】
図１に示すように、この実施形態における貯留槽内容物の切出し装置１０は、貯留槽の切出し口１１の下方に位置する振動フィーダ１６と、振動フィーダ１６の上面１７に落下する内容物１の量を調整する切出しゲート１２と、切出しゲート１２の開度を変更できる切出しゲート駆動手段（例えば、油圧シリンダ）１３と、振動フィーダ１６の上面１７を流れる内容物１の量を調整する切出し量調整ゲート１４と、切出し量調整ゲート１４の開度を無段階に変更できる切出し量調整ゲート駆動手段（例えば、油圧シリンダ）１５とを備えている。
ここで、貯留槽の切出し口１１から内容物１が落下する傾斜方向Ａと、振動フィーダ１６の上面１７を内容物１が流れる傾斜方向Ｂとは水平方向成分が逆になるような配置になっている。
【００２０】
また、切出し口１１の下端と振動フィーダ１６の上面１７との間隙Ｓは、内容物１の粒径の１０〜５０倍であり、振動フィーダ１６のスカート１８は、切出しゲート１２が全開の時に内容物１が振動フィーダ１６の外部に溢れないような高さとなっている。これによって、切出し口１１の下方から切出し量調整ゲート１４までの領域が擬似貯留領域（２次貯留領域）１９としての役割を果たすようになっている。
【００２１】
ここで、上記における内容物１の粒径は、内容物１を体積が等しい球と見なしたときの直径の平均値（等価平均粒径）である。そして、間隙Ｓを内容物１の粒径の１０〜５０倍としているのは、１０倍未満では、内容物１の流量が少な過ぎて効率が悪くなるからであり、５０倍超えでは、スカート１８をあまりにも高くする必要があるからである。
【００２２】
そして、切出し量調整ゲート１４は、切出し口１１を挟んで切出しゲート１２と反対側に位置しており、振動フィーダ１６の全幅をカバーする幅を有している。
【００２３】
また、切出し量調整ゲート駆動手段１５は、シリンダーによる自動操作、ラックピニオンによる手動操作などといった、切出し量調整ゲート１４の開度を無段階に変更できるとともに、操業停止を行うことなく外部からの操作が可能なものとすることが好ましい。
【００２４】
そして、このような貯留槽内容物の切出し装置１０を用いて貯留槽から内容物の切出しを行なう方法については、切出しゲート駆動手段１２を用いて切出しゲート１２の開度を内容物１の棚吊り現象が発生しない開度に調整するとともに、切出し量調整ゲート駆動手段１５を用いて切出し量調整ゲート１４の開度を調整して内容物１の切出し量を所望の値に制御する。
【００２５】
なお、内容物１の棚吊り現象が発生しない切出しゲート１２の開度については、予め、予備実験や操業実績等によって定めておけばよい。
【００２６】
このようにして、この実施形態においては、貯留槽から内容物１を切出す際に、低切出し量でも貯留槽内での棚吊り現象を発生させることなく、切出し量の細かな制御（無段階の制御）が可能である。
【符号の説明】
【００２７】
１  内容物
１０  貯留槽切出し装置
１１  貯留槽の切出し口
１２  切出しゲート
１３  切出しゲート駆動手段（油圧シリンダ）
１４  切出し量調整ゲート
１５  切出し量調整ゲート駆動手段（油圧シリンダ）
１６  振動フィーダ
１７  振動フィーダの上面
１８  振動フィーダスカート
１９  ２次貯留領域
【図１】
2019018931.tif 000003